(57)【要約】【課題】洗浄ノズルの先端をシンプルな形状とし洗浄汚水がかかっても洗浄汚物が付着し難いと共に、掃除し易い清潔な衛生洗浄装置を提供することを目的とする。【解決手段】人体局部を洗浄する噴出口を有する洗浄ノズル４１と、洗浄ノズル４１を覆うシリンダパイプ４０とを備え、洗浄ノズル４１は洗浄水噴出部４７と洗浄水噴出部の後端フランジ構成部４８の２パーツ構成とした事により、シンプルで洗浄汚水がかかる部分において溝の少ない汚れ難い掃除性の良い衛生洗浄装置を提供することができる。【選択図】図４
2005146628.tif 000002
【特許請求の範囲】
【請求項１】
人体局部を洗浄する噴出口を有する洗浄ノズルと、前記洗浄ノズルを覆うシリンダパイプとを備え、前記洗浄ノズルは、洗浄水噴出部と洗浄水噴出部の後端フランジ構成部の２パーツ構成とした衛生洗浄装置。
【請求項２】
洗浄ノズルの洗浄水噴出部と後端フランジ構成部との接続は、局部洗浄中の洗浄ノズルが突出した状態においてもシリンダパイプ内にて構成する請求項１に記載の衛生洗浄装置。
【請求項３】
洗浄ノズルの洗浄水噴出部は、金属の深絞り構成とした請求項１または２に記載の衛生洗浄装置。
【請求項４】
洗浄ノズルの洗浄水噴出部は、ステンレス鋼にて構成された請求項３に記載の衛生洗浄装置。
【発明の詳細な説明】
【技術分野】
【０００１】
本発明は、洗浄水を噴出して人体局部を洗浄する衛生洗浄装置に関するものである。
【背景技術】
【０００２】
従来、人体の局部を洗浄する衛生洗浄装置においては、その大半が洗浄ノズルは、洗浄ノズル先端の形状を別部品としている（例えば、特許文献１参照）。
【０００３】
この構成を図６に示している。洗浄ノズル１は、ノズル本体２と、先端には第一の吐水穴３を有する洗浄水吐水部４と、洗浄ノズル１の外周を覆う筒状の第二の吐水穴５を有するカバー６で構成されている。そして、洗浄吐水部４の第一の吐水穴３とカバー６の第二の吐水穴５を重ね合わせるように配して洗浄水を噴出させるものであった。
【特許文献１】特開２００１−１３２０５５号公報
【発明の開示】
【発明が解決しようとする課題】
【０００４】
しかしながら、従来の構成では、洗浄ノズル部は複数の構成要素を設ける必要があるので、洗浄噴出口付近に接続部もしくは嵌合部における隙間が発生し、洗浄汚水が洗浄ノズルに付着した際、その接続部および嵌合部に汚物が付着してしまい衛生洗浄装置から強制的に洗浄ノズル部へノズル洗浄のために水もしくはお湯を噴出するノズルクリーニングを行っても汚物の除去は非常に困難であった。さらに、ブラシや布等で掃除しても汚物およびその汚物に発生したカビ等は接続部や嵌合部の奥に入り込んでおり、汚物およびその汚物に発生したカビ等を取り除くことが非常に困難であり、不衛生なものとなっており、衛生洗浄便座の特に洗浄ノズル部における掃除のし易さおよび汚物の付着し難い構成が求められている。
【０００５】
本発明は、前記従来の課題を解決するもので、洗浄ノズルへ汚物が付着し難く、かつ掃除し易い衛星洗浄装置を提供することを目的とするものである。
【課題を解決するための手段】
【０００６】
前記従来の課題を解決するために、本発明の衛星洗浄装置は、人体局部を洗浄する噴出口を有する洗浄ノズルと、前記洗浄ノズルを覆うシリンダパイプとを備え、前記洗浄ノズルは、洗浄水噴出部と洗浄水噴出部の後端フランジ構成部の２パーツ構成としたのである。
【０００７】
これによって、洗浄ノズルにおける洗浄水噴出部の複雑な形状をなくし、洗浄汚水が洗浄ノズルにかかったとしても汚物が付着し難く、掃除性の優れたものとなる。
【発明の効果】
【０００８】
本発明の衛星洗浄装置は、洗浄汚水が洗浄ノズルにかかったとしても汚物が付着し難く、掃除性の優れたものとなる。
【発明を実施するための最良の形態】
【０００９】
第１の発明は、人体局部を洗浄する噴出口を有する洗浄ノズルと、前記洗浄ノズルを覆うシリンダパイプとを備え、前記洗浄ノズルは、洗浄水噴出部と洗浄水噴出部の後端フランジ構成部の２パーツ構成とした衛生洗浄装置としたことにより、洗浄ノズルにおける洗浄水噴出部の複雑な形状をなくし、洗浄汚水が洗浄ノズルにかかったとしても汚物が付着し難く、掃除性の優れたものとなる。
【００１０】
第２の発明は、特に、第１の発明における洗浄ノズルの洗浄水噴出部と後端フランジ構成部との接続は、局部洗浄中の洗浄ノズルが突出した状態においてもシリンダパイプ内にて構成することにより、洗浄汚物が直接洗浄ノズルの洗浄水噴出部と後端フランジ構成部との接続部にかかることがないため、汚物が接続部の溝部に入り込むこともなく掃除を容易に行うことができる。
【００１１】
第３の発明は、特に、第１または第２の発明における洗浄ノズルの洗浄水噴出部は、金属の深絞り構成としたことにより、金属は樹脂と比較した場合、自由エネルギーが高いため親水性が高く、表面に付着した汚物も洗い流しやすくなる。また、金属には樹脂に含まれるようなカビ等の栄養となる可塑剤や添加剤が含まれていないため、カビ等の繁殖を抑えることができる。
【００１２】
第４の発明は、特に、第３の発明における洗浄ノズルの洗浄水噴出部は、ステンレス鋼にて構成されたことにより、ステンレス鋼は樹脂と比較した場合、自由エネルギーが高いため親水性が高く、表面に付着した汚物も洗い流しやすくなる構成にするのに加えて、洗浄ノズルの洗浄水噴出部に洗浄汚水がかかっても錆び難い構成としたものである。そのことにより、表面に錆びが発生し難く錆びによる表面に凹凸が発生し難いため掃除性を向上させることができる。
【００１３】
以下、本発明の実施の形態について、図面を参照しながら説明する。なお、のの実施の形態によって本発明が限定されるものではない。
【００１４】
（実施の形態）
図１は、本発明の実施の形態における衛生洗浄装置を示すものである。
【００１５】
図において、人体洗浄装置としての温水洗浄便座１１は、便器１２上に設置され、温水洗浄便座本体１３、便蓋１４、使用者が座るための便座１５等から構成されており、また水道から洗浄水の供給を受けるための給水配管（図示せず）および壁面のコンセントから電源供給を受けるための電気ケーブル１６が備えてある。また、温水洗浄便座１１内部には使用者が肛門の洗浄を行うためのおしり洗浄機能、小用後の女性局部を洗浄するビデ洗浄機能、洗浄後の人体局部を乾燥するための乾燥機能等が備えてあり、各々の操作は便座本体に一体に設けられた袖部の操作部１７によってなされる。また、便座１５には使用者の存在を検知する検知手段としての着座スイッチ１８が備えてある。なお、この着座スイッチ１８は、本実施の形態では便座の下向きの変位を検知する機械的なスイッチを便座のヒンジ部に設け、使用者が便座に座って装置を使用としている状態もしくは便座から立ち上がり、装置の使用を終了したことを検知可能な構成としたが、方式としては便座の静電容量を検知する方式や、さらには赤外線や超音波等を用いて使用者の便座への着座を検知する、もしくはトイレルームに入室、退室したことを検知する方式、さらには、例えば、トイレの照明に連動して使用者の存在を検知する方式等でも検知手段としての応用が可能である。
【００１６】
次に、図２は操作部１７の概観を示すものである。図に示すとおり、操作部１７には、使用者が洗浄の開始を入力可能な開始手段としてのおしりスイッチ１８、同じく開始手段としての第２のおしりスイッチ１９、女性が小用後や生理時に主に用いるビデスイッチ２０、洗浄の停止を入力する停止手段としての停止スイッチ２１、さらには、乾燥機能の開始手段としての乾燥スイッチ２２、また、それぞれの機能のレベルあわせを行うためのレベルスイッチ２３、およびレベルを表示するレベル表示部２４等が備えられている。
【００１７】
図３は本実施の形態における衛生洗浄装置の水回路を示すものである。
【００１８】
図において、まず、水源である水道配管２５からの分岐流れを温水洗浄便座１１本体内へと接続する接続管２６は、第１水路系の一部である給水管２７に接続される。この給水管２７上には止水手段としての電磁弁２８、減圧弁２９、圧力過昇による水回路の破損を防止するリリーフ弁３０等の様々な機能部品が設けてあり、加熱手段としての温水タンク３１へと接続される。
【００１９】
温水タンク３１は、温水タンク３１内にてシーズヒータ３２を用い使用時に備えて温水を保温貯湯しているため、冷水が洗浄局部にあたることがなく常に所定の設定温度の洗浄水を洗浄水として用いることができる。なお、本実施の形態においては、シーズヒータを用いたが、セラミックヒータやマイカヒータ、さらには燃焼の熱を利用するなど様々な応用が考えられることは言うまでもない。
【００２０】
さらに、その下流側には第１水路系の一部をなす温水管３３を介して流路切換弁３４が接続されており、この流路切換弁３４は先述の温水管３３が接続される入口流路３５と第１出口流路３６、第２出口流路３７、第３出口流路３８がモータ３９によって選択的に連通される構成となっている。なお、本実施の形態で用いた流路切換弁３４は入口流路３５と第１出口流路３６、第２出口流路３７、第３出口流路３８の連通面積を可変することで水路の切換に加えて選択された流路に流れる洗浄水の流量も可変可能な構成としてある。
【００２１】
この流路切換弁３４の下流側には、シリンダパイプ４０を介して第１出口流路３６に第２水路系の一部をなすおしり洗浄ノズル４１が、第２出口流路３７に第２水路系の一部をなすビデ洗浄ノズル４２が、第３出口流路３８に第２水路系（逃がし水路系）の一部をなすクリーニングノズル４３が接続されている。また、おしり洗浄ノズル４１の先端部、つまり水路系の終点位置には噴出口としておしり噴出口４４が、ビデ洗浄ノズル４２の先端部には同じく噴出口としてビデ噴出口４５が、クリーニングノズル４３の先端部にはクリーニング噴出口４６が備えてある。なお、おしり噴出口４４およびビデ噴出口４５は、使用時に人体の被洗浄部、つまり肛門もしくは女性の局部に向けて洗浄水を噴出する構成となっているが、クリーニング噴出口４６は便器内に水を噴出する構成となっており、人体にはその噴出する洗浄水がかからないよう位置および向きが決められている。
【００２２】
また、制御器５２は電磁弁２８、流路切換弁３４等を電気的な信号によって制御する。制御器５２は操作部１７と信号のやり取りを行っており、使用者からの指示は操作部１７に設けた複数の入力スイッチによってなされる。
【００２３】
次に、図４、図５は本実施の形態におけるノズル部および洗浄ノズル部の接続部を示すものである。
【００２４】
おしり洗浄ノズル４１は、洗浄水噴出部４７と洗浄水噴出部の後端に設けられた後端フランジ構成部４８から構成されており、洗浄水噴出部４７と後端フランジ構成部４８はＯリング４９を介して締結されている。おしり洗浄ノズル４１はシリンダパイプ４０内に収納されており、おしり洗浄していない時、シリンダパイプ４０内に同様に収納されたおしりスプリング５０によって洗浄待機位置に位置する様になっている。また、ビデ洗浄ノズル５１についても同様の構成である。洗浄中は流路切換弁３４からおしり洗浄水路に切換えられた洗浄水がシリンダパイプ４０に供給され、その供給された洗浄水圧を後端フランジ構成部４８で受圧し、シリンダパイプ４０内に設けられたおしりスプリング５０に反して洗浄ノズルを所定の洗浄位置まで突出させるもである。おしり洗浄ノズル４１が所定の洗浄位置まで突出すると後端フランジ構成部４８に配したパッキン５１とシリンダパイプ４０が接しシリンダパイプ４０とおしり洗浄ノズル４１の後端フランジ構成部４８の間隙から流出していた洗浄水がおしり洗浄ノズル４１内を通じ局部洗浄水として噴出され、おしり洗浄が行なわれる。
【００２５】
また、停止スイッチ２１が押された際は止水弁２８が閉じられ、おしり洗浄ノズルはおしりスプリング５０のスプリング圧により洗浄待機位置まで戻る構成となっている。洗浄水は洗浄局部を洗浄し洗浄汚水は便器内に落下していくが、おしり洗浄ノズル４１にも洗浄汚水がかかっても、接続部が最小限になっており、洗浄汚物が洗浄ノズルへの付着し難い構成となっている。また、おしり洗浄ノズル４１のおしり洗浄水噴出部４７とおしり後端フランジ構成部４８の接続部はおしり洗浄ノズル４１が所定の局部洗浄位置まで突出した際も、接続部はシリンダパイプ４０内にて構成することにより洗浄汚水がおしり洗浄ノズル４１にかかったとしても接続部の溝に入り込むことが無く掃除を容易にすることができる。
【００２６】
すなわち、洗浄汚水がおしり洗浄ノズル４１にかかったとしても接続部は一箇所であり、その接続部一箇所に集中してノズルクリーニングを行うことで汚物の除去が行える。また、ブラシや布等による掃除にしても、その汚物および汚物に発生したカビ等を除去する際にも接続部一箇所のみの掃除で可能となるため、洗浄ノズル部におけるカビ等の発生を抑え、清潔な洗浄ノズルの提供を行えると共に、ノズル部における掃除性を向上させることができる。
【００２７】
また、おしり洗浄水噴出部４７を金属の深絞りにする事により、金属は自由エネルギーが高いため、親水性が高く、おしり洗浄噴出部４７の表面に洗浄汚水がかかったとしても、おしり洗浄水噴出部４７に付着した汚物は洗いやすくすることができる。さらには、おしり洗浄水噴出部４７をステンレス鋼にすることで錆びにくくなり、錆びによる表面の凹凸が発生しないため、更に掃除性を良くすることができる。なお、ビデ洗浄ノズルにおいても大きな差異はないため説明は割愛する。
【００２８】
上記構成において、本実施の形態の動作について説明する。まず、使用者がトイレに入室し、便座１５に座ると、着座スイッチ１８によって使用者の存在が検知される。この検知信号に基づいて制御器５２は流路切換弁３４を駆動し、電磁弁２８を開成し、ここで給水管２６から供給される洗浄水はクリーニングノズル４３から所定時間噴出される。そのことで、使用前に洗浄ノズルに温水を提供し洗浄ノズルおよび便器１２の内面をぬらす。これは、洗浄ノズルおよび便器に大便が付着することを防止する意味においても、使用者が用便をする前に便器表面をぬらすことは非常に効果的である。
【００２９】
次に、使用者が用便後、操作部１７に設けたおしりスイッチ１８を押すと、制御器５２は流路切換弁３４を駆動し温水管３３とクリーニングノズル４３を連通せしめた後、電磁弁２８を開成し、水圧によりシリンダパイプ内のおしり洗浄ノズル４１が突出し、この状態で温水はおしり噴出口４９から噴出され、人体被洗浄部の洗浄を開始する。なんらかの異常で高温の温水が流出した場合には、制御器５２は流路切換弁３４を制御し、連通流路をおしり洗浄ノズル４１からクリーニングノズル４３側へと変更するとともに、さらには電磁弁２８を即座に閉止する。さらに次に使用者が洗浄を終え、操作部に設けた停止スイッチ２１を押すと、制御器５２は電磁弁２８を閉止せしめた後、流路切換弁３４を駆動し、温水管３３とクリーニングノズル４３を連通せしめる。なお、使用者がビデスイッチ２０を押した場合については、流路切換弁３４の動作が変わるだけで大きな差異はないため説明は割愛する。
【産業上の利用可能性】
【００３０】
以上のように、本発明にかかる衛生洗浄装置は、洗浄汚水が洗浄ノズルにかかったとしても汚物が付着し難く、掃除性の優れたものとなるので、極めて衛生的で一般家庭や事務所において用いることができる。
【図面の簡単な説明】
【００３１】
【図１】本発明の実施の形態における衛生洗浄装置の斜視図
【図２】同衛生洗浄装置における操作部の平面図
【図３】同衛生洗浄装置における回路を示すブロック図
【図４】同衛生洗浄装置における洗浄ノズル部の構成を示す断面図
【図５】同衛生洗浄装置における洗浄ノズル部の接続部構成を示す断面図
【図６】従来の衛生洗浄装置の洗浄ノズルの斜視図
【符号の説明】
【００３２】
４０  シリンダパイプ
４１  おしり洗浄ノズル
４２  ビデ洗浄ノズル
４５  おしり噴出口
４６  ビデ噴出口
４７  洗浄水噴出部
４８  後端フランジ構成部
【図１】
2005146628.tif 000003
【図２】
2005146628.tif 000004
【図３】
2005146628.tif 000005
【図４】
2005146628.tif 000006
【図５】
2005146628.tif 000007
【図６】
2005146628.tif 000008